(57)【要約】      （修正有）【課題】選択された苔類を人工基盤上に栽培、生育させる。【解決手段】機能性シートと高い保水力を保有する不織布と特殊空間を保有する網状構造体、繊維状保水材を融合させた人工植栽基盤を発明すること。本発明の人工植栽基盤を用いて容易に選択された苔類を経済的に栽培生育する工法を提供する。【選択図】なし【特許請求の範囲】
【請求項１】
蘚類から選択された苔類を合成樹脂製シート、ネットを用いて苔を生育繁殖させる構造体
【請求項２】
蘚類から選択された苔類を生育させる特殊不定形空間と苔の種苗を生育させ、活着し易い形状をこの特殊不定形空間内に形成する繊維状保湿材を混入させた構造体
【請求項３】
蘚類から選択された苔類が設置土壌から雑草の生育混入を防ぐ防根シートにて完全分離された構造体
【請求項４】
蘚類から選択された苔類を土壌から完全分離された人工基盤にて生育植栽し繁殖させる為の固定させ且つ通水、通気させる膜を用いて苔の種苗と人工基盤の部材を接着させる液
【請求項５】
蘚類から選択された苔類類を人工基盤内で生育繁殖植栽させ、苔類を容易に人工基盤から分離させる生育工法
【請求項６】
蘚類から選択された苔類を人工基盤から分離後容易にシート状に加工できる植栽工法
【発明の詳細な説明】
【０００１】
本発明は蘚類から選択された苔類を人工基盤内にて生育繁殖植栽させることにより、苔類を環境改善、景観改善の緑化資材に利用する為に用途範囲を拡大させ、且つ簡便に加工が可能にせしめる素材を提供させる工法と基材を提供させるものである。
【発明が属する技術分野】
本発明は蘚苔類の生育、栽培，繁殖などに利用する方法に関するものである。
【０００２】
【従来の技術】
苔類は土壌に直播にして生育させる自然栽培と、植栽パレットに砂を敷き、砂に種苗を播く工法。
【０００３】
【発明が解決しようとする課題】
従来の植栽栽培技術は土壌を基盤とした自然工法か、植栽パレット内に土壌を基盤とした栽培工法であり、人工基盤にて植栽することで土壌の持つ土壌菌による生育阻害から完全回避することが出来る。
【０００４】
本発明は苔の生育条件と環境条件のギャップを補助作業にて適正な生育環境に改善することが簡便に出来る。生育後の苔に土壌、異物を混入していない為に、苔の利用が簡便化且つ用途範囲を拡大することが出来る。
【０００５】
本発明は苔類の生育条件である水分の保水性を、樹脂製保水シートと網状構造体の不定形空間内に繊維状保湿材を固形化する事による人工基盤にて提供する。
【０００６】
更に本発明は表層部に網状構造体を装置されている為、鳥類等の苔類に対する阻害行為を物理的に防御することが出来る。
【０００７】
更に本発明は表層部に網状の糸状樹脂に保護されている為に太陽の日照量を適性に遮断しながら、透明樹脂のため弱い日射量時にも苔の光合成を可能に出来る人工基盤を提供できる。
【０００８】
更に本人工基盤の底辺部には透水性、通気性を保持しながら、設置場所の雑草の生育を遮断できるシートを確保されている。雑草等の混入を防げる構造体を提供できる。
【０００９】
更に本人工基盤は基盤内に一切の溶融される有機物を排除されている為に、空中から運搬された雑草の種子も、発芽までに生育しても栄養分を内包していなしので、雑草などが生育することから回避できる人工基盤を提供できる。
【発明の実施の形態】
【００１０】
請求項１に係わる発明の実施の形態について説明する。蘚類から選択された苔類を、土壌等の有機物から隔離された人工的な植栽基盤を提供する。底部に防根シ―ト機能を持つ合成樹脂シートを設置し、保水性を持つ不織布を配し、其の上部に網状構造体を配したものである。
そして其の網状構造体の不定形空間に繊維状の保湿材を絡まし不定形空間内に微細な空間を形成させる人工基盤である。
【００１１】
請求項２に付いて説明する。人工基盤の上部構造体の合成樹脂網状構造体内の不定形空間は苔が成育するに適した容量を持つものである。苔類の成長は微細なものであるが、無性生殖に拠る容積増大は顕著なものである。苔特有の活着システムから固定的な基盤を必要とする為、網状構造体を形成する糸状の樹脂には一定の硬度を保有されたものである。可動性を持つ空間は苔の活着力を発揮することができない。其の結果この不定形空間は固定された不可動な空間を提供するものである。それはその空間を形成する空間内に苔の種苗を固定化させるため、より微細な空間を形成する糸状の保湿材により形成した人工基盤である。
【００１２】
請求項３について説明する。苔の栽培を土壌で行なう従来の工法は土壌の栄養分と水分に依拠するために雑草も同時に生育することを回避することが出来ない。又育成パレットを使用する場合でも育成パレット底部の空間から雑草が生育してくることを防ぐことが出来ない。然るに本人工基盤は底部に通気性と通水性を確保しながらも他の植物体が生育して茎、根を通過できない微細孔があるシートを設置された人工基盤である。
【００１３】
請求項４に付いて説明する。本発明の人工基盤を利用しての苔類の生育植栽繁殖を合理的に且つ確実性を確保する栽培方法である。又苔類以外の植物体を共存的に生育させない為の工法である。
其の為に底部より可能空間を防御し、上部からの進入を防御させる為にマイクロフイルム化できるアルギン酸系溶液を適度な希釈にして散布することで行なう。又この液は網状構造体内部の空間に繊維状の保水材で形成された不特定空間内に苔を固定化するものである。この固定力は苔固有の活着力を発揮するまでの初期の状況で有効性が発揮されるものである。この液は時間の経過と伴に流失して行くものである、苔の生育に障害を起こさせないものである。恒久的な接着は苔の生育に障害与えるものである。そして種苗の固定時期はアルギン酸系液の硬化速度を促進させる為にカルシュウ容液を散布することが拠り効果的な結果を誘発するものである。
【００１４】
請求項５に付いて説明する。本発明の人工基盤は苔類を網状構造体の特殊不定形空間内で生育栽培繁殖させるものである。其れゆえ土壌等の異物を排除しされた種苗を採用させることにより苔類のコロニー状態の採取が容易に出来るものである。固定化された空間内に繊維状の保湿材の絡みに拠る空間は可動性空間である。又本発明の人工基盤に混入させてある繊維状保湿材は３〜８ｍｍの短冊に切断加工をしてある為に、通常散水にて空間から流失させることが容易であり苔類を簡便に剥離させることが出来る。
【００１５】
請求項６に付いて説明する。本発明の人工基盤から剥離させた苔類は液状化させた繊維状保湿材に絡めて乾燥させることにより、苔のシート状を形成させることが出来る。環境、景観改善資材に簡便に加工できるものである。保湿機能と物理的固定力を発揮できる繊維状の絡み状態を形成させているものである。
【発明の効果】
以上の説明の如く、蘚苔類の選択された苔類を種苗から生育、植栽。
繁殖させる為に苔にとって適正な生育環境を提供する人工基盤を発明したことにより容易に選択された苔類を生育させることが出来る。其の結果環境改善に優れた植物体たる苔類を提供できることになった。
苔の従来の自然農法的植栽飼育は自然環境に大きく影響を受ける為、経済的効果を授受することが困難であった。この人工基盤は土壌の不確定な要素を排除されている為、水と太陽光の限られた要素の管理システムを採用する事により管理業務が非常に軽減することが可能となった。
そして水の管理に対しても保水性の機能の異なる素材を融合調整させてある為、潅水も特別なものを不必要とすることが出来た。
土壌を排除されている為、苔類の阻害要因のバクテリア、土壌菌の繁殖条件を排除されているものである。
苔類の特異性と独自の生命活動規範を保証せしめる物理的条件を提供することにより、苔類を土壌から切り離して生育させることが可能になり特別な経験と感を必要としない人工植栽基盤を提供することにより商業的栽培が可能となった。